(57)【要約】  放送波を受信する受信部（１０６）の受信状態を判定し、視聴可能な放送波を選定する受信状態判定部（１０８）と、選定された放送波の受信可能エリアを参照し、予め設定された案内経路を移動体が移動した場合に、当該案内経路において選定された放送波を受信可能な経路長を示す情報を算出し、算出した経路長を示す情報と、選定された放送波を放送する放送局を示す情報とを対応付けて表示した放送局リストを作成するリスト作成部（１０９）と、作成された放送局リストを表示する制御を行う第２の出力制御部（１０７）とを備える。
2018229827.tif 000002
【特許請求の範囲】
【請求項１】
放送波を受信する受信部の受信状態を判定し、視聴可能な放送波を選定する受信状態判定部と、
前記受信状態判定部が選定した前記放送波の受信可能エリアを参照し、予め設定された案内経路を移動体が移動した場合に、当該案内経路において前記選定された放送波を受信可能な経路長を示す情報を算出し、前記算出した経路長を示す情報と、前記選定された放送波を放送する放送局を示す情報とを対応付けて表示した放送局リストを作成するリスト作成部と、
前記リスト作成部が作成した放送局リストを表示する制御を行う出力制御部とを備えた放送受信装置。
【請求項２】
前記予め設定された案内経路は、前記移動体の現在位置から前記移動体の目的地までの経路であって、
前記リスト作成部は、前記予め設定された案内経路全体に対して、前記選定された放送波を受信可能な経路長を示す情報を算出することを特徴とする請求項１記載の放送受信装置。
【請求項３】
前記予め設定された案内経路は、前記移動体の現在位置から前記移動体の目的地までの経路であって、
前記リスト作成部は、前記予め設定された案内経路のうち、前記移動体の現在位置を含む経路の一部に対して、前記選定された放送波を受信可能な経路長を示す情報を算出することを特徴とする請求項１記載の放送受信装置。
【請求項４】
前記受信状態判定部は、前記移動体の現在位置において受信可能な放送波を、前記視聴可能な放送波として選定することを特徴とする請求項１記載の放送受信装置。
【請求項５】
前記選定された放送波を受信可能な経路長を示す情報は、前記選定された放送波の受信可能距離、前記選定された放送波の受信可能時間、前記受信可能距離の割合、または前記受信可能時間の割合のうち少なくともいずれか１つであることを特徴とする請求項１記載の放送受信装置。
【請求項６】
前記受信部が選局中の放送波の受信エリア内において、前記選局中の放送波の前記受信可能距離または前記選局中の放送波の前記受信可能時間のうちの少なくともいずれか一方を延長させる新たな案内経路を前記移動体の案内経路として再設定する経路再設定部を備えたことを特徴とする請求項５記載の放送受信装置。
【請求項７】
前記経路再設定部は、前記新たな案内経路を前記移動体が移動した場合に延長される前記移動体の移動距離または移動時間が、前記新たな案内経路を前記移動体が移動した場合に延長される前記受信可能距離または前記受信可能時間未満である場合に、前記新たな案内経路を前記移動体の案内経路として再設定することを特徴とする請求項６記載の放送受信装置。
【請求項８】
前記経路再設定部は、前記新たな案内経路を前記移動体が移動した場合に延長される前記移動体の移動距離および移動時間が、前記新たな案内経路を前記移動体が移動した場合に延長される前記受信可能距離および前記受信可能時間未満である場合に、前記新たな案内経路を前記移動体の案内経路として再設定することを特徴とする請求項６記載の放送受信装置。
【請求項９】
前記経路再設定部は、前記受信部が選局中の放送波の受信エリア内において、前記受信部が選局中の放送波の、受信可能距離または受信可能時間のうちの少なくともいずれか一方を延長させる経路が存在しない場合に、前記案内経路の再設定を行わないことを特徴とする請求項６記載の放送受信装置。
【請求項１０】
前記リスト作成部は、前記放送波の受信可能距離、または前記放送波の受信可能時間のうちの少なくともいずれか一方と、前記放送波の放送局を示す情報とを対応付けた前記放送局リストを作成することを特徴とする請求項５記載の放送受信装置。
【請求項１１】
前記リスト作成部は、前記放送波の受信可能距離の割合、または前記放送波の受信可能時間の割合のうちの少なくともいずれか一方と、前記放送波の放送局を示す情報とを対応付けた前記放送局リストを作成することを特徴とする請求項５記載の放送受信装置。
【請求項１２】
受信状態判定部が、放送波を受信する受信部の受信状態を判定し、視聴可能な放送波を選定するステップと、
リスト作成部が、前記選定された放送波の受信可能エリアを参照し、予め設定された案内経路を移動体が移動した場合に、当該案内経路において前記選定された放送波を受信可能な経路長を示す情報を算出し、前記算出した経路長を示す情報と、前記選定された放送波を放送する放送局を示す情報とを対応付けて表示した放送局リストを作成するステップと、
出力制御部が、前記作成された放送局リストを表示する制御を行うステップとを備えた放送受信方法。
【発明の詳細な説明】
【技術分野】
【０００１】
この発明は、移動体の移動に伴って変化する放送波の受信状態に応じて、放送局の選局を行う技術に関するものである。
【背景技術】
【０００２】
従来より、車両等の移動体に設けられた、テレビ放送およびラジオ放送等の放送波を受信する放送受信装置が開発されている。また、車両の走行経路を案内するナビゲーション装置と一体の放送受信装置も開発されている。
移動体に搭載された、または移動体が携帯する放送受信装置は、移動体の移動に伴って、放送波の受信状態が変化し、受信可能な放送局が変化する。そのため、従来の放送受信装置では、複数の放送局をリスト化して示した放送局リストをユーザに提示し、ユーザが当該放送局リストから視聴する放送局を選局している。放送受信装置が表示する放送局リストにおいて、複数の放送局をどのように並べるかは、放送波の周波数の昇順または降順によって決定される、または放送局名の昇順または降順によって決定される。
このように、放送局リストの表示順序は、放送波の受信可能状態をどの程度継続することができるかを考慮して決定されたものではない。そのため、移動体の移動に伴う放送波の受信状態の変化により、ユーザは頻繁に放送局の再選局を行う場合があるという問題があった。【０００３】
この問題を解決する技術として、特許文献１には、放送波の受信状態を地図情報としてユーザに提示する技術が開示されている。特許文献１に開示されたデジタル放送受信端末は、当該デジタル放送受信端末の現在位置または現在位置の周辺において受信可能な放送サービスエリアを、放送局ごとにサービスエリアマップとして表示している。ユーザは、サービスエリアマップを参照することによって、自身が視聴したい放送局の放送波を受信できる場所にいるかどうか、また、受信が不可能であれば、どこへ移動したら受信可能となるかを知ることができる。
【先行技術文献】
【特許文献】
【０００４】
【特許文献１】特開２００８−１１５６２号公報
【発明の概要】
【発明が解決しようとする課題】
【０００５】
上述した特許文献１に記載された放送受信装置を用いた場合、ユーザは、サービスエリアマップを参照することにより、現在受信可能な放送局を認識し、各放送局の放送波の受信可能状態をどの程度継続するかを推測することができる。しかし、放送局毎の放送波の受信可能状態の比較、または移動体の移動経路毎の受信可能状態の比較等は、ユーザ自身が行う必要があり、ユーザは、移動体の移動を考慮した各放送局の放送波の受信状態を容易に認識することができないという課題があった。【０００６】
この発明は、上記のような課題を解決するためになされたもので、移動体の移動を考慮した、各放送局の放送波の受信状態を、容易に認識可能にユーザに提示することを目的とする。
【課題を解決するための手段】
【０００７】
この発明に係る放送受信装置は、放送波を受信する受信部の受信状態を判定し、視聴可能な放送波を選定する受信状態判定部と、受信状態判定部が選定した放送波の受信可能エリアを参照し、予め設定された案内経路を移動体が移動した場合に、当該案内経路において選定された放送波を受信可能な経路長を示す情報を算出し、算出した経路長を示す情報と、選定された放送波を放送する放送局を示す情報とを対応付けて表示した放送局リストを作成するリスト作成部と、リスト作成部が作成した放送局リストを表示する制御を行う出力制御部とを備える。
【発明の効果】
【０００８】
この発明によれば、移動体の移動を考慮した、各放送局の放送波の受信状態を、容易に認識可能にユーザに提示することができる。
【図面の簡単な説明】
【０００９】
【図１】実施の形態１に係る放送受信装置の構成を示すブロック図である。
【図２】図２Ａ、図２Ｂは、実施の形態１に係る放送受信装置のハードウェア構成例を示す図である。
【図３】図３Ａ、図３Ｂは、実施の形態１に係る放送受信装置のリスト作成部が読み出した放送波の受信可能エリアを示す図である。
【図４】図４Ａ、図４Ｂ、図４Ｃは、実施の形態１に係る放送受信装置のリスト作成部が作成した放送局リストの一例を示す図である。
【図５Ａ】実施の形態１に係る放送受信装置の放送局リストの作成処理を示すフローチャートである。
【図５Ｂ】実施の形態１に係る放送受信装置の放送局リストの作成処理を示すフローチャートである。
【図６】実施の形態２に係る放送受信装置の構成を示すブロック図である。
【図７】実施の形態２に係る放送受信装置の案内経路の再設定の一例を示す図である。
【図８】実施の形態２に係る放送受信装置の経路再設定部の動作を示すフローチャートである。
【発明を実施するための形態】
【００１０】
以下、この発明をより詳細に説明するために、この発明を実施するための形態について、添付の図面に従って説明する。
実施の形態１．
図１は、実施の形態１に係る放送受信装置１００の構成を示すブロック図である。
放送受信装置１００は、位置情報取得部１０１、操作情報取得部１０２、経路設定部１０３、地図情報格納部１０４、第１の出力制御部１０５、受信部１０６、第２の出力制御部（出力制御部）１０７、受信状態判定部１０８、リスト作成部１０９、放送局情報格納部１１０およびユーザデータ格納部１１１を備える。
また、放送受信装置１００には、入力装置２００および出力装置３００が接続されている。
【００１１】
入力装置２００は、例えば、タッチパネルまたはボタン等で構成され、ユーザ操作の入力を受け付ける。入力装置２００は、受け付けたユーザ操作の操作情報を、放送受信装置１００の操作情報取得部１０２に出力する。
出力装置３００は、例えば、ディスプレイ３０１およびスピーカ３０２等で構成され、映像の表示および音声の出力を行う。出力装置３００は、第１の出力制御部１０５および第２の出力制御部１０７から入力される制御情報に基づいて、ディスプレイ３０１に映像を表示するおよびスピーカ３０２から音声の出力を行う。
【００１２】
以下では、放送受信装置１００を車両に搭載した場合を例に説明を行うが、放送受信装置１００は車両に限定されず、移動するユーザが携帯する携帯端末等、種々の移動体に搭載可能である。
【００１３】
位置情報取得部１０１は、放送受信装置１００を搭載した自車両の位置情報を取得する。位置情報取得部１０１は、ＧＰＳ（Global Positioning System）またはＧＬＯＮＡＳＳ（Global Navigation Satellite System）等の衛星から自車両の位置情報を含む電波を受信し、復調およびデコードを行う。位置情報取得部１０１は、取得した自車両の位置情報を経路設定部１０３に出力する。
【００１４】
操作情報取得部１０２は、入力装置２００を介して入力された、ユーザ操作の操作情報を取得する。操作情報取得部１０２は、ユーザ操作の操作情報として、経路に関する操作情報と、放送局に関する操作情報とを取得する。
経路に関する操作情報とは、経路検索の開始を指示する情報、目的地を指定する情報、および出力装置３００に表示された経路検索結果から案内経路を指定する情報等である。操作情報取得部１０２は、当該経路に関する操作情報を、経路設定部１０３に出力する。
一方、放送局に関する操作情報とは、受信可能な放送波を放送する放送局の探索（以下、放送局のサーチという）の開始を指示する情報、放送局をリスト化して示した放送局リストの作成条件を示す情報、放送局リストの表示条件を示す情報、および出力装置３００に表示された放送局リストから放送局を選局する情報等である。
ここで、放送局リストの作成条件とは、放送局リストを、放送波の受信可能な距離に基づいて作成するか、または放送波の受信可能な時間に基づいて作成するかを示す条件である。また、放送局リストの表示条件とは、放送局リストで表示する放送局の数、放送局リストを放送波を受信可能な距離または時間の昇順で表示するのか、または降順で表示するのかを示す条件である。操作情報取得部１０２は、当該放送局に関する操作情報を、受信部１０６および受信状態判定部１０８に出力し、さらにユーザデータ格納部１１１に格納する。
【００１５】
経路設定部１０３は、位置情報取得部１０１が取得した自車両の位置情報、操作情報取得部１０２が取得した目的地を指定する情報および地図情報格納部１０４に格納された地図情報に基づいて、自車両の現在位置から目的地までの経路を検索する。経路設定部１０３は、検索した経路を示す情報を第１の出力制御部１０５および出力装置３００を介して、ユーザに提示する。ユーザが、提示された検索経路から希望する経路を指定するユーザ操作を、入力装置２００を介して入力すると、当該ユーザ操作の操作情報が、操作情報取得部１０２を介して経路設定部１０３に入力される。経路設定部１０３は、ユーザが指定した経路を案内経路に設定する。経路設定部１０３は、設定した案内経路を示す情報を第１の出力制御部１０５およびリスト作成部１０９に出力する。
地図情報格納部１０４は、経路設定部１０３が経路を検索する際に参照する地図情報を格納する。
【００１６】
第１の出力制御部１０５は、経路設定部１０３から入力された検索した経路を示す情報に基づいて、当該検索した経路の情報を出力装置３００のディスプレイ３０１に表示し、スピーカ３０２から音声出力するための制御を行う。また、第１の出力制御部１０５は、経路設定部１０３から入力された、案内経路を示す情報に基づいて、当該案内経路に沿った移動体の移動を支援するための映像をディスプレイ３０１に表示し、音声をスピーカ３０２から出力させるための制御を行う。
【００１７】
受信部１０６は、第１の受信部１０６ａ、第２の受信部１０６ｂおよび第３の受信部１０６ｃを備える。
第１の受信部１０６ａは、ＤＶＢＴ（Digital Video Broadcasting−Terrestrial）等のデジタルテレビ送波を受信し、ＴＳ（Transport streaming）に復調する。
第２の受信部１０６ｂは、ＤＡＢ（Digital Audio Broadcasting）等のデジタルラジオ送波を受信し、ＴＳに復調する。
第３の受信部１０６ｃは、FM、AM送波を受信し、中間周波数（IF：Intermediate Frequency）に変換する。
第１の受信部１０６ａ、第２の受信部１０６ｂおよび第３の受信部１０６ｃは、選局されている放送局の放送波を受信する処理と、各放送局の放送波の受信状態を示す情報を受信する処理とを行う。ここで、各放送局の放送波の受信状態を示す情報として、各放送局の放送波の電界強度、ノイズレベルおよび符号誤り率（BER：Bit error rate）等の放送局の受信状態を示す情報を取得する。なお、受信部１０６が第１から第３の３つの受信部を備える構成は一例であり、受信部１０６の構成数および各構成が受信する放送波は適宜設定可能である。
【００１８】
第１の受信部１０６ａ、第２の受信部１０６ｂおよび第３の受信部１０６ｃは、操作情報取得部１０２から、表示された放送局のリストから放送局を選局する情報が入力されると、選局された放送局の映像信号および音声信号を、第２の出力制御部１０７に出力する。また、第１の受信部１０６ａ、第２の受信部１０６ｂおよび第３の受信部１０６ｃは、放送波の電界強度、放送波のノイズレベルおよびデジタル放送の放送波の符号誤り率等の、放送局の受信状態を示す情報を、受信状態判定部１０８に出力する。
第２の出力制御部１０７は、受信部１０６から入力された映像信号および音声信号に基づいて、選局された放送局の放送波の映像情報または音声情報の少なくともいずれか一方を出力装置３００に出力させるための制御を行う。
【００１９】
受信状態判定部１０８は、操作情報取得部１０２から放送局のサーチの開始を指示する情報が入力されると、受信部１０６から入力された各放送局の放送波の受信状態を示す情報に基づいて、各放送局の放送波が現在視聴可能であるか判定を行う。受信状態判定部１０８は、判定結果に基づいて、自車両の現在位置において視聴可能な放送局を選定する。受信状態判定部１０８は、選定した放送局をリスト作成部１０９に出力する。受信状態判定部１０８は、操作情報取得部１０２から放送局が選局されたことを示す情報が入力されると、判定処理を終了する。
【００２０】
受信状態判定部１０８は、上述のようにユーザの操作をトリガとして放送局のサーチを行う方式に加えて、サーチ用の受信部を別個に設けて放送波を受信可能な放送局をサーチする方式（以下、バックサーチという）にも対応可能である。この場合、受信状態判定部１０８は、バックサーチを実行して自車両の現在位置において視聴可能な放送局を選定する。受信状態判定部１０８は、選定した放送局をリスト作成部１０９に出力する。受信状態判定部１０８は、サーチ待ち時間が経過すると、再度バックサーチを実行して放送局を選定する。サーチ待ち時間は、サーチ間隔であり、放送毎にシステム設定される時間である。
受信状態判定部１０８の詳細については、後述する。
【００２１】
リスト作成部１０９は、経路設定部１０３により案内経路が設定されていない場合には、受信状態判定部１０８で選定された放送局をリスト表示した放送局リストを作成する。リスト作成部１０９は、ユーザデータ格納部１１１に格納された放送局リストの表示条件に従って、選定された放送局をリスト表示する。
【００２２】
一方、経路設定部１０３により案内経路が設定されている場合には、リスト作成部１０９は受信状態判定部１０８で選定された放送局を示す情報が入力されると、放送局情報格納部１１０を参照し、選定された放送局の放送波の受信可能エリアを読み出す。リスト作成部１０９は、読み出した受信可能エリアを参照し、経路設定部１０３で設定された案内経路において、選定された放送局の放送波を受信部１０６が受信可能な経路長に関する情報を算出する。ここで、放送波を受信可能な経路長に関する情報とは、放送波を受信して走行可能な距離（以下、受信可能距離という）、放送波を受信して走行可能な時間（以下、受信可能時間という）、受信可能距離の割合、受信可能時間の割合の少なくともいずれか１つである。リスト作成部１０９が、経路長に関する情報としてどのような情報を算出するかは、ユーザデータ格納部１１１に格納された放送局リストの作成条件に基づいて決定される。リスト作成部１０９は、ユーザデータ格納部１１１に格納された放送局リストの表示条件に従って、算出した各放送局の経路長に関する情報を、各放送局を示す情報と対応付けて表示した放送局リストを作成する。
【００２３】
リスト作成部１０９は、作成した放送局リストを第２の出力制御部１０７に出力する。なお、リスト作成部１０９の各放送局の受信状態の算出処理の詳細、および放送局リストの作成処理の詳細については後述する。
【００２４】
第２の出力制御部１０７は、リスト作成部１０９から入力された放送局リストを出力装置３００のディスプレイ３０１に表示するための制御を行う。
【００２５】
放送局情報格納部１１０は、各放送の送信塔の位置、送信電力およびアンテナの指向性を示す情報を格納する。また、放送局情報格納部１１０は、放送受信装置１００の受信機（図示しない）の受信感度と、自車両の搭載されたアンテナの利得とに基づいて設定された各放送局の放送波の受信可能エリアを示す情報を格納する。各車両に搭載された放送受信装置１００の受信機の受信感度と、各車両に搭載されたアンテナの利得を設定しておくことにより、車両毎に正確な受信可能エリアが設定される。なお、各車両の受信可能エリアの設定は、放送受信装置１００内で行って放送局情報格納部１１０に格納してもよいし、放送受信装置１００外で行って放送局情報格納部１１０に格納してもよい。
【００２６】
ユーザデータ格納部１１１は、操作情報取得部１０２が取得した、放送局リストの作成条件、および放送局リストの表示条件を格納する。
【００２７】
図１で示したブロック図では、放送受信装置１００が、案内経路を設定するための位置情報取得部１０１、地図情報格納部１０４、経路設定部１０３および第１の出力制御部１０５を備える構成を示した。これに替えて、案内経路を設定するための上記構成は、放送受信装置１００以外の外部の機器が備えてもよい。その場合、外部の機器において案内経路の設定が行われ、当該外部の機器から放送受信装置１００に対して案内経路の情報が入力される。実施の形態２においても同様である。
【００２８】
次に、放送受信装置１００のハードウェア構成例を説明する。
図２Ａおよび図２Ｂは、放送受信装置１００のハードウェア構成例を示す図である。
放送受信装置１００における位置情報取得部１０１、操作情報取得部１０２、経路設定部１０３、第１の出力制御部１０５、受信部１０６、第２の出力制御部１０７、受信状態判定部１０８およびリスト作成部１０９の各機能は、処理回路により実現される。即ち、放送受信装置１００は、上記各機能を実現するための処理回路を備える。当該処理回路は、図２Ａに示すように専用のハードウェアである処理回路１００ａであってもよいし、図２Ｂに示すようにメモリ１００ｃに格納されているプログラムを実行するプロセッサ１００ｂであってもよい。
【００２９】
図２Ａに示すように、位置情報取得部１０１、操作情報取得部１０２、経路設定部１０３、経路案内処理部、第１の出力制御部１０５、受信部１０６、第２の出力制御部１０７、受信状態判定部１０８およびリスト作成部１０９が専用のハードウェアである場合、処理回路１００ａは、例えば、単一回路、複合回路、プログラム化したプロセッサ、並列プログラム化したプロセッサ、ＡＳＩＣ（Application Specific Integrated Circuit）、ＦＰＧＡ（Field−programmable Gate Array）、またはこれらを組み合わせたものが該当する。位置情報取得部１０１、操作情報取得部１０２、経路設定部１０３、経路案内処理部、第１の出力制御部１０５、受信部１０６、第２の出力制御部１０７、受信状態判定部１０８およびリスト作成部１０９の各部の機能それぞれを処理回路で実現してもよいし、各部の機能をまとめて１つの処理回路で実現してもよい。
【００３０】
図２Ｂに示すように、位置情報取得部１０１、操作情報取得部１０２、経路設定部１０３、経路案内処理部、第１の出力制御部１０５、受信部１０６、第２の出力制御部１０７、受信状態判定部１０８およびリスト作成部１０９がプロセッサ１００ｂである場合、各部の機能は、ソフトウェア、ファームウェア、またはソフトウェアとファームウェアとの組み合わせにより実現される。ソフトウェアまたはファームウェアはプログラムとして記述され、メモリ１００ｃに格納される。プロセッサ１００ｂは、メモリ１００ｃに記憶されたプログラムを読み出して実行することにより、位置情報取得部１０１、操作情報取得部１０２、経路設定部１０３、経路案内処理部、第１の出力制御部１０５、受信部１０６、第２の出力制御部１０７、受信状態判定部１０８およびリスト作成部１０９の各機能を実現する。即ち、位置情報取得部１０１、操作情報取得部１０２、経路設定部１０３、経路案内処理部、第１の出力制御部１０５、受信部１０６、第２の出力制御部１０７、受信状態判定部１０８およびリスト作成部１０９は、プロセッサ１００ｂにより実行されるときに、後述する図５Ａ、図５Ｂおよび図８に示す各ステップが結果的に実行されることになるプログラムを格納するためのメモリ１００ｃを備える。また、これらのプログラムは、位置情報取得部１０１、操作情報取得部１０２、経路設定部１０３、経路案内処理部、第１の出力制御部１０５、受信部１０６、第２の出力制御部１０７、受信状態判定部１０８およびリスト作成部１０９の手順または方法をコンピュータに実行させるものであるともいえる。
【００３１】
ここで、プロセッサ１００ｂとは、例えば、ＣＰＵ（Central Processing Unit）、処理装置、演算装置、プロセッサ、マイクロプロセッサ、マイクロコンピュータ、またはＤＳＰ（Digital Signal Processor）などのことである。
メモリ１００ｃは、例えば、ＲＡＭ（Random Access Memory）、ＲＯＭ（Read Only Memory）、フラッシュメモリ、ＥＰＲＯＭ（Erasable Programmable ROM）、ＥＥＰＲＯＭ（Electrically EPROM）等の不揮発性または揮発性の半導体メモリであってもよいし、ハードディスク、フレキシブルディスク等の磁気ディスクであってもよいし、ミニディスク、ＣＤ（Compact Disc）、ＤＶＤ（Digital Versatile Disc）等の光ディスクであってもよい。
【００３２】
なお、位置情報取得部１０１、操作情報取得部１０２、経路設定部１０３、経路案内処理部、第１の出力制御部１０５、受信部１０６、第２の出力制御部１０７、受信状態判定部１０８およびリスト作成部１０９の各機能について、一部を専用のハードウェアで実現し、一部をソフトウェアまたはファームウェアで実現するようにしてもよい。このように、放送受信装置１００における処理回路１００ａは、ハードウェア、ソフトウェア、ファームウェア、またはこれらの組み合わせによって、上述の各機能を実現することができる。
【００３３】
次に、受信状態判定部１０８およびリスト作成部１０９の詳細について説明する。
まず、受信状態判定部１０８の詳細について説明する。
受信状態判定部１０８は、視聴可能な放送局を選定する際に、以下に示す３つの条件の判定結果に基づいて、各放送局の放送波が現在の地点で良好に視聴可能であるか判定する。
第１の条件：受信部１０６が受信した放送波の電波強度が予め設定された規定値以上であるか
第２の条件：受信部１０６が受信した放送波のノイズレベルが予め設定された規定値以下であるか
第３の条件：受信部１０６が受信したデジタル放送の放送波が、デコード可能かどうか、例えばＢＥＲが予め設定された規定値以下であるか
【００３４】
受信部１０６が受信した放送波がデジタル放送であった場合には、受信状態判定部１０８は、第１の条件、第２の条件および第３の条件の判定結果を用いる。
一方、受信部１０６が受信した放送波がデジタル放送でなかった場合には、受信状態判定部１０８は、第１の条件および第２の条件の判定結果を用いる。
なお、上述した第１の条件、第２の条件および第３の条件は、一例であり、一部の条件を判定から除外する、または新たな条件を追加してもよい。
受信状態判定部１０８は、例えば、受信部１０６が受信したデジタル放送の放送波である場合に、上述した第１から第３の条件を満たすと判定した場合に、各放送局の放送波が現在の地点で良好に視聴可能であると判定する。
【００３５】
次に、リスト作成部１０９の詳細について図３を参照しながら説明する。
図３Ａおよび図３Ｂは、実施の形態１に係る放送受信装置１００のリスト作成部１０９が読み出した放送波の受信可能エリアを示す図である。図３Ａは案内経路全体についての放送局リストを作成する場合を示し、図３Ｂは案内経路の一部（以下、部分案内経路という）について放送局リストを作成する場合を示している。
図３Ａおよび図３Ｂで示した受信可能エリアＡは、受信状態判定部１０８において現在の地点（自車両の現在位置Ｐ）で良好に視聴可能であると判定された、第１の放送波の受信可能エリアを示している。また、図３Ａおよび図３Ｂで示した案内経路Ｒは、経路設定部１０３で設定された案内経路であり、始点が自車両の現在位置Ｐであり、終点が目的地Ｑである。図３Ｂで示した地点Ｓは、案内経路Ｒ上であって、自車両の現在位置Ｐから予め設定された距離（例えば、３０ｋｍ等）に位置する地点である。地点Ｓは、ユーザが設定可能である。これは、ユーザが、案内経路の一部の、例えば短い距離の経路において良好に視聴可能な放送局の選局を希望する場合に、設定される地点である。
【００３６】
図３Ａを参照しながら、リスト作成部１０９が案内経路Ｒの放送局リストを作成する場合について説明する。
自車両の現在位置Ｐにおいて、放送受信装置１００は受信可能エリアＡを有する第１の放送局の放送波を良好に視聴可能な状態である。リスト作成部１０９は、案内経路Ｒのうち、受信可能エリアＡ内に位置する経路の部分を積分し、案内経路Ｒ上における第１の放送局の放送波の受信可能距離を算出する。図３Ａにおいて、案内経路Ｒ上における第１の放送局の放送波の受信可能距離は、自車両の現在位置Ｐと、受信可能エリアＡの境界線と案内経路Ｒとが交差する地点Ｑａとを結ぶ部分案内経路ｒの距離である。
【００３７】
また、リスト作成部１０９は、算出した受信可能距離を、部分案内経路ｒについて予め想定されている走行速度で除算し、部分案内経路ｒの走行予測時間を第１の放送局の放送波の受信可能時間として算出する。
また、リスト作成部１０９は、算出した受信可能距離を、案内経路Ｒ全体の距離で除算し、受信可能距離の割合を算出する。同様に、リスト作成部１０９は、算出した受信可能時間を、案内経路Ｒ全体の走行予測時間で除算し、受信可能時間の割合を算出する。
リスト作成部１０９は、ユーザデータ格納部１１１に格納された放送局リストの作成条件に基づいて、受信可能距離、受信可能時間、受信可能距離の割合または受信可能時間の割合の少なくともいずれか１つを算出する。
【００３８】
リスト作成部１０９は、上述した算出処理を、自車両の現在位置Ｐにおいて良好に視聴可能な放送局（例えば、第２の放送局、第３の放送局、・・・第ｎの放送局）、全てに対して実行する。リスト作成部１０９は、算出した全ての放送局の受信可能距離、受信可能時間、受信可能距離の割合、または受信可能時間の割合の少なくともいずれか１つと、各放送局を示す情報とを対応付けて、放送局リストを作成する。リスト作成部１０９は、ユーザデータ格納部１１１に格納された放送局リストの表示条件を参照し、リスト表示する放送局の数、各放送局を結果の降順で表示するのか、昇順で表示するのか等を決定する。リスト作成部１０９は、決定した条件に合致した放送局リストを作成する。
【００３９】
次に、図３Ｂを参照しながら、リスト作成部１０９が案内経路Ｒの放送局リストを作成する場合について説明する。
自車両の現在位置Ｐにおいて、放送受信装置１００は受信可能エリアＡを有する第１の放送局の放送波を良好に視聴可能な状態である。リスト作成部１０９は、自車両の現在位置Ｐから地点Ｓまでの部分案内経路Ｔのうち、受信可能エリアＡ内に位置する経路の部分を積分し、部分案内経路Ｔ上で第１の放送局の放送波の受信可能距離を算出する。図３Ｂにおいて、部分案内経路Ｔの受信可能距離は、部分案内経路Ｔ全体の距離である。
【００４０】
リスト作成部１０９は、算出した受信可能距離を、部分案内経路Ｔについて予め想定されている走行速度で除算し、部分案内経路Ｔの走行予測時間を第１の放送局の放送波の受信可能時間として算出する。また、リスト作成部１０９は、算出した受信可能距離を、部分案内経路Ｔ全体の距離で除算し、受信可能距離の割合を算出する。同様に、リスト作成部１０９は、算出した受信可能時間を、部分案内経路Ｔ全体の走行予測時間で除算し、受信可能時間の割合を算出する。図３Ｂの場合、部分案内経路Ｔの受信可能距離の割合および受信可能時間の割合は、１００％と算出される。
リスト作成部１０９は、上述した処理と同様の処理を行い、算出した全ての放送局の受信可能距離、受信可能時間、受信可能距離の割合、または受信可能時間の少なくともいずれか１つと、放送局を示す情報とを対応付けた放送局リストを作成する。
【００４１】
図４Ａ、図４Ｂおよび図４Ｃは、実施の形態１に係る放送受信装置１００のリスト作成部１０９が作成した放送局リストの一例を示す図である。図４Ａは、受信可能距離を降順に示した放送局リストの一例を示し、図４Ｂは、受信可能時間を降順に示した放送局リストの一例を示し、図４Ｃは受信可能距離の割合または受信可能時間の割合を降順に示した放送局リストの一例を示している。
図４Ａから図４Ｃは、出力装置３００のディスプレイ３００ａの表示例を示している。
ディスプレイ３００ａの放送局リストの表示領域３００ｂには、放送局を示す情報３００ｃと対応する受信可能な経路長に関する情報３００ｄとを対応付けて表示している。図４Ａから図４Ｃの例では、放送局を示す情報３００ｃとして、各放送局の放送波の周波数帯域を示している。また、表示領域３００ｂには、リストの表示条件で指定された、リスト表示する放送局の数（例えば、「５」）に応じて、例えば上位５つの放送局が表示される。
【００４２】
次に、放送受信装置１００の動作について説明する。
図５Ａおよび図５Ｂは、実施の形態１に係る放送受信装置１００の放送局リストの作成処理を示すフローチャートである。なお、図５Ａは、放送受信装置１００が、ユーザの操作をトリガとして放送局のサーチを行う場合の処理を示すフローチャートである。また、図５Ｂは、放送受信装置１００が、バックサーチを実行して放送局のサーチを行う場合の処理を示すフローチャートである。
図５のフローチャートで示した処理を行う前提として、放送受信装置１００の受信部１０６が、常時放送波を受信しているものとする。また、経路設定部１０３は、ユーザの指示に基づいて、経路の検索、および案内経路の設定を行っているものとする。
また、図５Ａおよび図５Ｂのフローチャートは、リスト作成部１０９が、ユーザデータ格納部１１１に格納されたリスト作成条件に基づいて受信可能距離から受信可能距離の割合を算出し、算出された受信可能距離の割合を表示する場合を例に説明する。
【００４３】
まず、図５Ａを参照しながら、放送受信装置１００が、ユーザの操作をトリガとして放送局のサーチを行う場合の処理について説明する。
操作情報取得部１０２は、放送局のサーチの開始を指示する情報を取得すると、受信状態判定部１０８に対して、放送局のサーチを指示する（ステップＳＴ１）。受信状態判定部１０８は、ステップＳＴ１で放送局のサーチ指示が入力されると、受信部１０６から入力される各放送局の受信状態を示す情報に基づいて、自車両の現在位置において視聴可能な放送局を選定する（ステップＳＴ２）。受信状態判定部１０８は、ステップＳＴ２で選局した放送局を、リスト作成部１０９に出力する。
【００４４】
リスト作成部１０９は、経路設定部１０３において、案内経路が設定されているか否か判定を行う（ステップＳＴ３）。案内経路が設定されていない場合（ステップＳＴ３；ＮＯ）、リスト作成部１０９はステップＳＴ２で選局された放送局に基づいて放送局リストを作成し（ステップＳＴ４）、第２の出力制御部１０７に出力する。第２の出力制御部１０７は、ステップＳＴ４で作成された放送局リストを出力装置３００のディスプレイ３０１に表示するための制御を行う。（ステップＳＴ５）。
【００４５】
一方、案内経路が設定されている場合（ステップＳＴ３；ＹＥＳ）、リスト作成部１０９はステップＳＴ２で選定された放送局の放送波の受信可能エリアを、放送局情報格納部１１０から取得する（ステップＳＴ６）。リスト作成部１０９は、ステップＳＴ６で取得した各放送局の放送波の受信可能エリアと、経路設定部１０３で設定された案内経路とから、設定された案内経路の受信可能距離を算出する（ステップＳＴ７）。リスト作成部１０９は、ステップＳＴ７で算出した受信可能距離から、設定された案内経路における受信可能距離の割合を算出する（ステップＳＴ８）。リスト作成部１０９は、ステップＳＴ２で選定された全ての放送局について、受信可能距離および受信可能距離の割合を算出したか否か判定を行う（ステップＳＴ９）。選定された全ての放送局について算出を行っていない場合（ステップＳＴ９；ＮＯ）、リスト作成部１０９はステップＳＴ６の処理に戻り、上述した処理を繰り返す。
【００４６】
一方、選局された全ての放送局について算出を行った場合（ステップＳＴ９；ＹＥＳ）、リスト作成部１０９は、ユーザデータ格納部１１１に格納されたリスト表示条件を参照し、ステップＳＴ８で算出した受信可能距離の割合に応じて、リストの並べ替えを行い、放送局リストを作成する（ステップＳＴ１０）。リスト作成部１０９は、ステップＳＴ１０で作成した放送局リストを、第２の出力制御部１０７に出力する。第２の出力制御部１０７は、ステップＳＴ１０で作成された放送局リストを、出力装置３００のディスプレイ３０１に表示するための制御を行う（ステップＳＴ１１）。
【００４７】
その後、受信状態判定部１０８は、ステップＳＴ２で放送局を選定した処理から、予め設定した待ち時間（例えば、６０秒など）が経過したか否か判定を行う（ステップＳＴ１２）。予め設定した待ち時間が経過していない場合（ステップＳＴ１２；ＮＯ）、受信状態判定部１０８はステップＳＴ１２の判定処理を継続する。一方、予め設定した待ち時間が経過した場合（ステップＳＴ１２；ＹＥＳ）、受信状態判定部１０８は放送局が選局されたか否か判定を行う（ステップＳＴ１３）。放送局が選局された場合（ステップＳＴ１３；ＹＥＳ）、フローチャートは処理を終了する。一方、放送局が選局されていない場合（ステップＳＴ１３；ＮＯ）、フローチャートはステップＳＴ２の処理に戻り、上述した処理を繰り返す。
【００４８】
次に、図５Ｂを参照しながら、放送受信装置１００が、バックサーチを実行して放送局のサーチを行う場合の処理について説明する。
なお、以下では、図５Ａのフローチャートと同一のステップには図５Ａで使用した符号と同一の符号を付し、説明を省略する。
放送受信装置１００が放送局のサーチを開始すると（ステップＳＴ１ａ）、受信状態判定部１０８は、受信部１０６から入力された各放送局の受信状態を示す情報に基づいて、自車両の現在位置において視聴可能な放送局を選定する（ステップＳＴ２ａ）。
【００４９】
その後、放送局リストを作成する処理が行われ、放送局リストを出力装置３００のディスプレイ３０１に表示するための制御が行われると（ステップＳＴ５またはステップＳＴ１１）、受信状態判定部１０８は設定されたサーチ待ち時間が経過したか否か判定を行う（ステップＳＴ１２ａ）。設定されたサーチ待ち時間が経過していない場合（ステップＳＴ１２ａ；ＮＯ）、受信状態判定部１０８はステップＳＴ１２ａの判定処理を継続する。一方、設定されたサーチ待ち時間が経過した場合（ステップＳＴ１２ａ；ＹＥＳ）、フローチャートはステップＳＴ１ａに戻り、放送受信装置１００が、再度放送局のサーチを開始する。
【００５０】
上述した図５Ａおよび図５Ｂのフローチャートでは、案内経路において受信部１０６が放送波を受信可能な経路長に関する情報として、受信可能距離を算出する場合を例に示したが、当該経路長に関する情報は、受信可能距離、受信可能時間、受信可能距離の割合、または受信可能時間の割合の少なくともいずれか１つで構成される。
【００５１】
以上のように、この実施の形態１によれば、放送波を受信する受信部１０６の受信状態を判定し、視聴可能な放送波を選定する受信状態判定部１０８と、選定された放送波の受信可能エリアを参照し、予め設定された案内経路を移動体が移動した場合に、当該案内経路において選定された放送波を受信可能な経路長を示す情報を算出し、算出した経路長を示す情報と、選定された放送波を放送する放送局を示す情報とを対応付けて表示した放送局リストを作成するリスト作成部１０９と、作成された放送局リストを表示する制御を行う第２の出力制御部１０７とを備えるように構成したので、ユーザは設定された案内経路においてより長く視聴可能な放送波を放送する放送局を選局することができる。これにより、案内経路を移動中に、放送波が受信できない状態が頻繁に発生することを抑制し、ユーザが頻繁に放送局サーチを実行する手間を省くことができる。
【００５２】
また、この実施の形態１によれば、リスト作成部１０９が、予め設定された案内経路全体に対して、受信部１０６が選定された放送波を受信可能な経路長を示す情報を算出する、またはリスト作成部１０９が、予め設定された案内経路のうち、移動体の現在位置を含む経路の一部に対して、受信部１０６が選定された放送波を受信可能な経路長を示す情報を算出するように構成したので、案内経路全体の移動を考慮した放送局を選局するのか、または移動体の現在位置に近い一部の経路の移動を考慮した放送局を選局するのか、ユーザが選択することができる。これにより、ユーザの嗜好に応じた放送局リストを提示することができる。
【００５３】
また、この実施の形態１によれば、受信状態判定部１０８は、移動体の現在位置において受信可能な放送波を、視聴可能な放送波として選定するように構成したので、選定した放送を移動体の現在位置において受信できない状態となるのを抑制することができる。
【００５４】
また、この実施の形態１によれば、リスト作成部１０９が、放送波の受信可能距離、または放送波の受信可能時間のうちの少なくともいずれか一方と、放送波の放送局を示す情報とを対応付けた放送局リストを作成するように構成したので、ユーザは案内経路上で放送波を受信可能な距離または時間の少なくともいずれか一方を容易に認識することができる。
【００５５】
また、この実施の形態１によれば、リスト作成部１０９が、放送波を受信可能距離の割合、または放送波の受信可能時間の割合のうちの少なくともいずれか一方と、放送波の放送局を示す情報とを対応付けた放送局リストを作成するように構成したので、ユーザは案内経路上で放送波を受信可能な割合を容易に認識することができる。
【００５６】
実施の形態２．
この実施の形態２では、放送波の受信エリアを参照して、案内経路を再設定する構成を示す。
図６は、実施の形態２に係る放送受信装置１００Ａの構成を示すブロック図である。
実施の形態２に係る放送受信装置１００Ａは、図１に示した実施の形態１の放送受信装置１００に、経路再設定部１１２を追加して構成している。以下では、実施の形態１に係る放送受信装置１００の構成要素と同一または相当する部分には、実施の形態１で使用した符号と同一の符号を付して説明を省略または簡略化する。
【００５７】
図７は、実施の形態２に係る放送受信装置１００Ａの案内経路の再設定の一例を示す図である。
図７において、受信可能エリアＢは、自車両の現在位置Ｐにおいて、選局されている放送波の受信可能エリアを示している。案内経路Ｒａは、経路設定部１０３が設定した、自車両の現在位置Ｐから目的地Ｑまでの案内経路である。案内経路Ｒｂは、経路再設定部１１２が算出した自車両の現在位置Ｐから目的地Ｑまでの新たな案内経路である。
【００５８】
図６および図７を参照しながら、経路再設定部１１２の構成について説明する。
経路再設定部１１２は、自車両の現在位置Ｐにおいて選局されている放送波の受信可能エリアＢを、放送局情報格納部１１０から読み出す。経路再設定部１１２は、地図情報格納部１０４に格納された地図情報を参照し、読み出した受信可能エリアＢ内で、現在設定されている案内経路Ｒａよりも、長い距離、または長い時間、放送波を受信することができる経路であって、予め設定されたリルート条件を満たす経路を、新たな案内経路Ｒｂとして算出する。
ここで、リルート条件とは、例えばユーザが予め設定した条件であって、「現在設定されている案内経路よりも、走行距離が１０ｋｍ延びてもよい」、または「現在設定されている案内経路よりも、走行時間が５分延びてもよい」等の条件である。
経路再設定部１１２は、新たな案内経路Ｒｂの走行予測距離から、現在設定されている案内経路Ｒａの走行予測距離を減算し、案内経路Ｒｂを走行すると、案内経路Ｒａを走行する場合よりも、どの程度走行距離が延長されるか算出する。
【００５９】
次に、経路再設定部１１２は、案内経路Ｒｂのうち、受信可能エリアＢ内に位置する経路の部分を積分し、案内経路Ｒｂにおける、選局中の放送局の放送波の受信可能距離を算出する。経路再設定部１１２は、算出した新たな案内経路Ｒｂの受信可能距離から、リスト作成部１０９が算出した現在設定されている案内経路Ｒａの受信可能距離を減算し、案内経路Ｒｂを走行すると、案内経路Ｒａを走行する場合よりも、どの程度受信可能距離が延長されるか算出する。
【００６０】
経路再設定部１１２は、新たな案内経路Ｒｂを走行した場合に延長される走行距離が、新たな案内経路Ｒｂを走行した場合に延長される受信可能距離未満であるか否か判定を行う。経路再設定部１１２は、延長される走行距離が、延長される受信可能距離未満であると判定した場合に、新たな案内経路を、案内経路として再設定する処理を行う。一方、延長される走行距離が、延長される受信可能距離未満でないと判定した場合に、案内経路の再設定は行わない。
【００６１】
経路再設定部１１２は、案内経路を再設定する処理として、新たな案内経路を示す情報を第１の出力制御部１０５に出力してユーザに提示する。また、経路再設定部１１２は、新たな案内経路を、案内経路を再設定する指示が入力されると、当該案内経路の再設定を行う。経路再設定部１１２は、再設定した案内経路を示す情報を第１の出力制御部１０５に出力する。
第１の出力制御部１０５は、経路再設定部１１２から入力された案内経路を示す情報に基づいて、当該案内経路に沿った移動体の移動を支援するための映像をディスプレイ３０１に表示し、音声をスピーカ３０２から出力させるための制御を行う。
なお、上記では、経路再設定部１１２が受信可能距離に基づいて、新たな案内経路を設定する場合を例に示したが、経路再設定部１１２は、受信可能距離または受信可能時間の少なくともいずれか１つに基づいて、新たな案内経路を設定する。
【００６２】
次に、放送受信装置１００Ａのハードウェア構成例を説明する。なお、実施の形態１と同一の構成の説明は省略する。
放送受信装置１００Ａにおける経路再設定部１１２は、図２Ａで示した処理回路１００ａ、または図２Ｂで示したメモリ１００ｃに格納されるプログラムを実行するプロセッサ１００ｂである。
【００６３】
次に、放送受信装置１００Ａの案内経路の再設定処理について説明する。
図８は、実施の形態２に係る放送受信装置１００Ａの経路再設定部１１２の動作を示すフローチャートである。
図８のフローチャートで示した処理を行う前提として、放送受信装置１００Ａの受信部１０６が、ある放送局の放送波を受信しているものとする。
【００６４】
操作情報取得部１０２から案内経路の再設定を要求する操作情報が入力されると（ステップＳＴ２１）、経路再設定部１１２は、経路設定部１０３から、現在設定されている案内経路の情報を取得する（ステップＳＴ２２）。また、経路再設定部１１２は、現在選局している放送局の放送波の受信可能エリアを放送局情報格納部１１０から取得する（ステップＳＴ２３）。経路再設定部１１２は、地図情報格納部１０４に格納された地図情報を参照し、ステップＳＴ２３で取得した受信可能エリア内で、ステップＳＴ２２で取得された現在設定されている案内経路よりも、長い距離、放送波を受信することができる新たな案内経路を算出する（ステップＳＴ２４）。
【００６５】
経路再設定部１１２は、新たな案内経路が算出されたか否か判定を行う（ステップＳＴ２５）。新たな経路が算出されない場合（ステップＳＴ２５；ＮＯ）、経路再設定部１１２は処理を終了する。一方、新たな経路が算出された場合（ステップＳＴ２５；ＹＥＳ）、経路再設定部１１２は、ステップＳＴ２４で算出した新たな案内経路を走行した場合に、ステップＳＴ２２で取得した案内経路を走行するよりも、延長される走行距離を算出する（ステップＳＴ２６）。
【００６６】
また、経路再設定部１１２は、ステップＳＴ２４で算出した新たな案内経路を走行した場合に、現在選局している放送局の放送波の受信可能距離を算出する（ステップＳＴ２７）。経路再設定部１１２は、ステップＳＴ２７で算出した受信可能距離と、ステップＳＴ２２で取得した現在の案内経路での受信可能距離とから、ステップＳＴ２４で算出した新たな案内経路を走行した場合に、ステップＳＴ２２で取得した案内経路を走行するよりも、延長される受信可能距離を算出する（ステップＳＴ２８）。
【００６７】
経路再設定部１１２は、ステップＳＴ２６で算出した延長される走行距離が、ステップＳＴ２８で算出した延長される受信可能距離未満であるか否か判定を行う（ステップＳＴ２９）。ステップＳＴ２６で算出した延長される走行距離が、延長される受信可能距離未満でない場合（ステップＳＴ２９；ＮＯ）、経路再設定部１１２は処理を終了する。一方、ステップＳＴ２６で算出した延長される走行距離が、延長される受信可能距離未満である場合（ステップＳＴ２９；ＹＥＳ）、経路再設定部１１２は、ステップＳＴ２４で算出された新たな案内経路を、第１の出力制御部１０５を介してユーザに提示する（ステップＳＴ３０）。
【００６８】
経路再設定部１１２は、操作情報取得部１０２から、提示した新たな案内経路を案内経路として再設定する指示が入力されたか否か判定を行う（ステップＳＴ３１）。新たな案内経路を案内経路として再設定する指示が入力された場合（ステップＳＴ３１；ＹＥＳ）、経路再設定部１１２は、ステップＳＴ２４で算出した新たな案内経路を案内経路として再設定し（ステップＳＴ３２）、当該案内経路の情報を第１の出力制御部１０５に出力する。第１の出力制御部１０５は、ステップＳＴ３２で再設定された案内経路の情報を出力装置３００のディスプレイ３０１に表示し、スピーカ３０２から音声出力するための制御を行い（ステップＳＴ３３）、処理を終了する。一方、新たな案内経路を案内経路として再設定する指示が入力されない場合（ステップＳＴ３１；ＮＯ）、経路再設定部１１２は処理を終了する。
【００６９】
なお、ステップＳＴ２５の判定処理において「ＹＥＳ」と判定され、さらに複数の新たな案内経路が算出された場合には、当該複数の新たな経路について、上述したステップＳＴ２６からステップＳＴ２９の処理を行う。さらに、ステップＳＴ２９の判定処理において「ＹＥＳ」と判定された案内経路が複数存在した場合、経路再設定部１１２は、例えば、受信可能距離の延長量と、走行距離の延長量との差分が最も大きい経路を、ユーザに提示する。
【００７０】
また、上述した図８のフローチャートでは、経路再設定部１１２が、走行距離の延長量が、受信可能距離の延長量未満であるか否かの判定を行う例を示したが、走行時間の延長量が、受信可能時間の延長量未満であるか否かの判定を行ってもよい。また、経路再設定部１１２は、走行距離の延長量および走行時間の延長量が、受信可能距離の延長量および受信可能時間の延長量未満であるか否かの判定を行ってもよい。
【００７１】
以上のように、この実施の形態２によれば、受信部１０６が選局中の放送波の受信エリア内において、選局中の放送波の受信可能距離または選局中の放送波の受信可能時間のうちの少なくともいずれか一方を延長させる新たな案内経路を移動体の案内経路として再設定する経路再設定部１１２を備えるように構成したので、受信部が現在選局している放送波をより長く視聴可能な案内経路を再設定することができる。
【００７２】
また、この実施の形態２によれば、経路再設定部１１２が、新たな案内経路を移動体が移動した場合に延長される移動体の移動距離または移動時間が、新たな案内経路を移動体が移動した場合に延長される受信可能距離または受信可能時間未満である場合に、新たな案内経路を移動体の案内経路として再設定する、または、新たな案内経路を移動体が移動した場合に延長される移動体の移動距離および移動時間が、新たな案内経路を移動体が移動した場合に延長される受信可能距離および受信可能時間未満である場合に、新たな案内経路を移動体の案内経路として再設定するように構成したので、受信可能距離または受信可能時間よりも移動距離または移動時間が上回るのを抑制することができる、または受信可能距離および受信可能時間よりも移動距離および移動時間が上回るのを抑制することができる。これにより、放送波の受信状態の延長を優先した案内経路の再設定を行うことができる。
【００７３】
上述した実施の形態１および実施の形態２で示した放送受信装置１００，１００Ａは、車両等の移動体に搭載されるナビゲーション装置などの車載機器、車両等の移動体に取り付け可能なポータブル機器、タブレット等の携帯端末、等に適用することができる。
【００７４】
上記以外にも、本発明はその発明の範囲内において、各実施の形態の自由な組み合わせ、各実施の形態の任意の構成要素の変形、または各実施の形態の任意の構成要素の省略が可能である。
【産業上の利用可能性】
【００７５】
この発明に係る放送受信装置は、移動体に搭載される機器であって、移動体の移動に伴って放送波の受信状態が変化する機器等に適用可能である。
【符号の説明】
【００７６】
１００，１００Ａ  放送受信装置、１０１  位置情報取得部、１０２  操作情報取得部、１０３  経路設定部、１０４  地図情報格納部、１０５  第１の出力制御部、１０６  受信部、１０６ａ  第１の受信部、１０６ｂ  第２の受信部、１０６ｃ  第３の受信部、１０７  第２の出力制御部、１０８  受信状態判定部、１０９  リスト作成部、１１０  放送局情報格納部、１１１  ユーザデータ格納部、１１２  経路再設定部。
【図１】
2018229827.tif 000003
【図２】
2018229827.tif 000004
【図３】
2018229827.tif 000005
【図４】
2018229827.tif 000006
【図５Ａ】
2018229827.tif 000007
【図５Ｂ】
2018229827.tif 000008
【図６】
2018229827.tif 000009
【図７】
2018229827.tif 000010
【図８】
2018229827.tif 000011
【手続補正書】
【提出日】令和1年5月30日(2019.5.30)
【手続補正１】
【補正対象書類名】明細書
【補正対象項目名】０００７
【補正方法】変更
【補正の内容】
【０００７】
この発明に係る放送受信装置は、放送波を受信する受信部の受信状態を判定し、視聴可能な放送波を選定する受信状態判定部と、受信状態判定部が選定した放送波の受信可能エリアを参照し、予め設定された案内経路を移動体が移動した場合に、当該案内経路において選定された放送波を受信可能な経路長を示す情報を算出し、算出した経路長を示す情報と、選定された放送波を放送する放送局を示す情報とを対応付けて表示した放送局リストを作成するリスト作成部と、リスト作成部が作成した放送局リストを表示する制御を行う出力制御部とを備え、受信可能エリアは、各放送波の送信塔の位置、送信電力およびアンテナの指向性と、放送波を受信するアンテナの利得とを用いて設定されたものである。
【手続補正２】
【補正対象書類名】特許請求の範囲
【補正対象項目名】全文
【補正方法】変更
【補正の内容】
【特許請求の範囲】
【請求項１】
放送波を受信する受信部の受信状態を判定し、視聴可能な放送波を選定する受信状態判定部と、
前記受信状態判定部が選定した前記放送波の受信可能エリアを参照し、予め設定された案内経路を移動体が移動した場合に、当該案内経路において前記選定された放送波を受信可能な経路長を示す情報を算出し、前記算出した経路長を示す情報と、前記選定された放送波を放送する放送局を示す情報とを対応付けて表示した放送局リストを作成するリスト作成部と、
前記リスト作成部が作成した放送局リストを表示する制御を行う出力制御部とを備え、
前記受信可能エリアは、各放送局の放送波を送信するアンテナの位置、送信電力およびアンテナの指向性と、前記放送波を受信するアンテナの利得とを用いて設定されたものであることを特徴とする放送受信装置。
【請求項２】
前記予め設定された案内経路は、前記移動体の現在位置から前記移動体の目的地までの経路であって、
前記リスト作成部は、前記予め設定された案内経路全体に対して、前記選定された放送波を受信可能な経路長を示す情報を算出することを特徴とする請求項１記載の放送受信装置。
【請求項３】
前記予め設定された案内経路は、前記移動体の現在位置から前記移動体の目的地までの経路であって、
前記リスト作成部は、前記予め設定された案内経路のうち、前記移動体の現在位置を含む経路の一部に対して、前記選定された放送波を受信可能な経路長を示す情報を算出することを特徴とする請求項１記載の放送受信装置。
【請求項４】
前記受信状態判定部は、前記移動体の現在位置において受信可能な放送波を、前記視聴可能な放送波として選定することを特徴とする請求項１記載の放送受信装置。
【請求項５】
前記選定された放送波を受信可能な経路長を示す情報は、前記選定された放送波の受信可能距離、前記選定された放送波の受信可能時間、前記受信可能距離の割合、または前記受信可能時間の割合のうち少なくともいずれか１つであることを特徴とする請求項１記載の放送受信装置。
【請求項６】
前記受信部が選局中の放送波の受信エリア内において、前記選局中の放送波の前記受信可能距離または前記選局中の放送波の前記受信可能時間のうちの少なくともいずれか一方を延長させる新たな案内経路を前記移動体の案内経路として再設定する経路再設定部を備えたことを特徴とする請求項５記載の放送受信装置。
【請求項７】
前記経路再設定部は、前記新たな案内経路を前記移動体が移動した場合に延長される前記移動体の移動距離または移動時間が、前記新たな案内経路を前記移動体が移動した場合に延長される前記受信可能距離または前記受信可能時間未満である場合に、前記新たな案内経路を前記移動体の案内経路として再設定することを特徴とする請求項６記載の放送受信装置。
【請求項８】
前記経路再設定部は、前記新たな案内経路を前記移動体が移動した場合に延長される前記移動体の移動距離および移動時間が、前記新たな案内経路を前記移動体が移動した場合に延長される前記受信可能距離および前記受信可能時間未満である場合に、前記新たな案内経路を前記移動体の案内経路として再設定することを特徴とする請求項６記載の放送受信装置。
【請求項９】
前記経路再設定部は、前記受信部が選局中の放送波の受信エリア内において、前記受信部が選局中の放送波の、受信可能距離または受信可能時間のうちの少なくともいずれか一方を延長させる経路が存在しない場合に、前記案内経路の再設定を行わないことを特徴とする請求項６記載の放送受信装置。
【請求項１０】
前記リスト作成部は、前記放送波の受信可能距離、または前記放送波の受信可能時間のうちの少なくともいずれか一方と、前記放送波の放送局を示す情報とを対応付けた前記放送局リストを作成することを特徴とする請求項５記載の放送受信装置。
【請求項１１】
前記リスト作成部は、前記放送波の受信可能距離の割合、または前記放送波の受信可能時間の割合のうちの少なくともいずれか一方と、前記放送波の放送局を示す情報とを対応付けた前記放送局リストを作成することを特徴とする請求項５記載の放送受信装置。
【請求項１２】
受信状態判定部が、放送波を受信する受信部の受信状態を判定し、視聴可能な放送波を選定するステップと、
リスト作成部が、前記選定された放送波の受信可能エリアを参照し、予め設定された案内経路を移動体が移動した場合に、当該案内経路において前記選定された放送波を受信可能な経路長を示す情報を算出し、前記算出した経路長を示す情報と、前記選定された放送波を放送する放送局を示す情報とを対応付けて表示した放送局リストを作成するステップと、
出力制御部が、前記作成された放送局リストを表示する制御を行うステップとを備え、
前記受信可能エリアは、各放送局の放送波を送信するアンテナの位置、送信電力およびアンテナの指向性と、前記放送波を受信するアンテナの利得とを用いて設定されたものであることを特徴とする放送受信方法。
【国際調査報告】
2018229827.tif 000012
2018229827.tif 000013